【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
プロセッサベースのシステム中の異種メモリシステムにメモリアクセス要求を経路指定するためのバス相互接続アービタであって、
要求デバイスからバス相互接続中のメモリアクセス要求を受け取り、
前記メモリアクセス要求に基づいて、複数の異種メモリアクセス要求ポリシーの中からメモリアクセス要求ポリシーを決定し、各メモリアクセス要求ポリシーは、前記複数の同種メモリタイプの中の前記同種メモリタイプに対応し、各メモリアクセス要求ポリシーは、スタティック異種メモリアクセス要求ポリシーおよびダイナミック異種メモリアクセス要求ポリシーのうちの１つである、
前記決定されるメモリアクセス要求ポリシーに対応する前記同種メモリタイプを決定する
ようにさらに構成されることによって、前記メモリアクセス要求に関連する性能特性に基づいて、前記バス相互接続に結合される異種メモリシステム内の複数の同種メモリタイプの中から同種メモリタイプを決定し、
前記決定される同種メモリタイプに対応する前記異種メモリシステム中の複数の同種メモリの同種メモリに前記メモリアクセス要求を経路指定する
ように構成される、バス相互接続アービタ。
【請求項２】
前記複数の同種メモリは、ダイナミックランダムアクセスメモリ（ＤＲＡＭ）同種メモリおよび磁気抵抗ランダムアクセスメモリ（ＭＲＡＭ）同種メモリからなる、請求項１に記載のバス相互接続アービタ。
【請求項３】
前記複数の同種メモリの各々が、前記異種メモリシステム内の揮発性メモリまたは不揮発性メモリのいずれかである、請求項１に記載のバス相互接続アービタ。
【請求項４】
前記メモリアクセス要求ポリシーを決定するために、前記バス相互接続アービタは、
前記メモリアクセス要求がスタティック異種メモリアクセス要求に対応することを決定し、
メモリアクセス要求ポリシー表中のスタティックメモリアクセス要求ポリシー索引に基づいて、前記スタティック異種メモリアクセス要求ポリシーとして前記メモリアクセス要求ポリシーを決定する
ように構成される、請求項１に記載のバス相互接続アービタ。
【請求項５】
前記メモリアクセス要求ポリシーを決定するために、前記バス相互接続アービタは、
前記メモリアクセス要求がスタティック異種メモリアクセス要求に対応することを決定し、
前記メモリアクセス要求中のマスタ識別子に基づいて、前記スタティック異種メモリアクセス要求ポリシーとして前記メモリアクセス要求ポリシーを決定する
ように構成される、請求項１に記載のバス相互接続アービタ。
【請求項６】
前記メモリアクセス要求ポリシーを決定するために、前記バス相互接続アービタは、
前記メモリアクセス要求がスタティック異種メモリアクセス要求に対応することを決定し、
前記メモリアクセス要求中のアプリケーション識別子に基づいて、前記スタティック異種メモリアクセス要求ポリシーとして前記メモリアクセス要求ポリシーを決定する
ように構成される、請求項１に記載のバス相互接続アービタ。
【請求項７】
前記メモリアクセス要求ポリシーを決定するために、前記バス相互接続アービタは、
前記メモリアクセス要求がダイナミック異種メモリアクセス要求に対応することを決定し、
ダイナミック異種メモリアクセス要求プロファイル索引表中のダイナミックメモリアクセス要求ポリシー索引に基づいて、前記ダイナミック異種メモリアクセス要求ポリシーとして前記メモリアクセス要求ポリシーを決定する
ように構成される、請求項１に記載のバス相互接続アービタ。
【請求項８】
前記メモリアクセス要求ポリシーを決定するために、前記バス相互接続アービタは、
前記メモリアクセス要求がダイナミック異種メモリアクセス要求に対応することを決定し、
前記メモリアクセス要求中のメモリアクセス要求優先度に基づいて、前記ダイナミック異種メモリアクセス要求ポリシーとして前記メモリアクセス要求ポリシーを決定する
ように構成される、請求項１に記載のバス相互接続アービタ。
【請求項９】
前記メモリアクセス要求ポリシーを決定するために、前記バス相互接続アービタは、
前記メモリアクセス要求がダイナミック異種メモリアクセス要求に対応することを決定し、
前記メモリアクセス要求中のメモリアクセス要求デッドラインに基づいて、前記ダイナミック異種メモリアクセス要求ポリシーとして前記メモリアクセス要求ポリシーを決定する
ように構成される、請求項１に記載のバス相互接続アービタ。
【請求項１０】
前記メモリアクセス要求ポリシーを決定するために、前記バス相互接続アービタは、
前記メモリアクセス要求がダイナミック異種メモリアクセス要求に対応することを決定し、
前記プロセッサベースのシステム中の電力モードに基づいて、前記ダイナミック異種メモリアクセス要求ポリシーとして前記メモリアクセス要求ポリシーを決定する
ように構成される、請求項１に記載のバス相互接続アービタ。
【請求項１１】
前記メモリアクセス要求ポリシーを決定するために、前記バス相互接続アービタは、
前記メモリアクセス要求がダイナミック異種メモリアクセス要求に対応することを決定し、
メモリページヒット率に基づいて、前記ダイナミック異種メモリアクセス要求ポリシーとして前記メモリアクセス要求ポリシーを決定する
ように構成される、請求項１に記載のバス相互接続アービタ。
【請求項１２】
前記メモリアクセス要求ポリシーを決定するために、前記バス相互接続アービタは、
前記メモリアクセス要求がダイナミック異種メモリアクセス要求に対応することを決定し、
メモリアクセス要求トラフィックに基づいて、前記ダイナミック異種メモリアクセス要求ポリシーとして前記メモリアクセス要求ポリシーを決定する
ように構成される、請求項１に記載のバス相互接続アービタ。
【請求項１３】
前記メモリアクセス要求ポリシーを決定するために、前記バス相互接続アービタは、
前記メモリアクセス要求がダイナミック異種メモリアクセス要求に対応することを決定し、
アプリケーション優先度、メモリアクセス要求デッドライン、電力モード、メモリページヒット率、およびメモリアクセス要求トラフィックからなるグループから選択される少なくとも１つの動作パラメータに基づいて、ダイナミック異種メモリアクセス要求ポリシープロファイルとして前記メモリアクセス要求ポリシーを決定する
ように構成される、請求項１に記載のバス相互接続アービタ。
【請求項１４】
前記メモリアクセス要求ポリシーを決定するために、前記バス相互接続アービタは、
前記プロセッサベースのシステムの有効動作プロファイルが存在するかどうかを決定し、
前記有効動作プロファイルが存在しない場合に、デフォルトメモリアクセス要求ポリシーとして前記メモリアクセス要求ポリシーを決定する
ように構成される、請求項１に記載のバス相互接続アービタ。
【請求項１５】
前記バス相互接続中に配設される、請求項１に記載のバス相互接続アービタ。
【請求項１６】
半導体ダイの中に一体化される、請求項１に記載のバス相互接続アービタ。
【請求項１７】
前記バス相互接続アービタが一体化される、セットトップボックス、エンターテインメントユニット、ナビゲーションデバイス、通信デバイス、固定ロケーションデータユニット、モバイルロケーションデータユニット、モバイルフォン、セルラーフォン、コンピュータ、ポータブルコンピュータ、デスクトップコンピュータ、携帯情報端末（ＰＤＡ）、モニタ、コンピュータモニタ、テレビジョン、チューナー、ラジオ、衛星ラジオ、音楽プレーヤ、デジタル音楽プレーヤ、ポータブル音楽プレーヤ、デジタルビデオプレーヤ、ビデオプレーヤ、デジタルビデオディスク（ＤＶＤ）プレーヤ、およびポータブルデジタルビデオプレーヤからなるグループから選択されるデバイスをさらに備える、請求項１に記載のバス相互接続アービタ。
【請求項１８】
プロセッサベースのシステム中の異種メモリシステムにメモリアクセス要求を経路指定するためのバス相互接続アービタであって、
要求デバイスからバス相互接続中のメモリアクセス要求を受け取るための手段と、
前記メモリアクセス要求に関連する性能特性に基づいて、前記バス相互接続に結合される異種メモリシステム内の複数の同種メモリシステムタイプの中から同種メモリタイプを決定するための手段と、ここにおいて、前記同種メモリタイプを決定するための前記手段は、
前記メモリアクセス要求に基づいて、複数の異種メモリアクセス要求ポリシーの中からメモリアクセス要求ポリシーを決定するための手段と、各メモリアクセス要求ポリシーは、前記複数の同種メモリタイプの中の前記同種メモリタイプに対応し、各メモリアクセス要求ポリシーは、スタティック異種メモリアクセス要求ポリシーおよびダイナミック異種メモリアクセス要求ポリシーのうちの１つである、
前記決定されるメモリアクセス要求ポリシーに対応する前記同種メモリタイプを決定するための手段と
を備える、
前記決定される同種メモリタイプに対応する前記異種メモリシステム中の複数の同種メモリの同種メモリに、前記メモリアクセス要求を経路指定するための手段と
を備える、バス相互接続アービタ。
【請求項１９】
プロセッサベースのシステム中のバス相互接続に結合される異種メモリシステムであって、
メモリコントローラの第１のメモリチャネルに結合される第１の同種メモリと、ここにおいて、前記第１の同種メモリは、揮発性メモリタイプである、
前記メモリコントローラの第２のメモリチャネルに結合される第２の同種メモリと、ここにおいて、前記第２の同種メモリは、不揮発性メモリタイプである、
を備え、
前記メモリコントローラは、
バス相互接続中のメモリアクセス要求を受け取り、前記メモリコントローラは、前記第１のメモリチャネルおよび前記第２のメモリチャネルを有する、
前記メモリアクセス要求に基づいて、複数の異種メモリアクセス要求ポリシーの中からメモリアクセス要求ポリシーを決定し、各メモリアクセス要求ポリシーは、前記複数の同種メモリタイプの中の前記同種メモリタイプに対応し、各メモリアクセス要求ポリシーは、スタティック異種メモリアクセス要求ポリシーおよびダイナミック異種メモリアクセス要求ポリシーのうちの１つである、
前記決定されるメモリアクセス要求ポリシーに対応する前記同種メモリタイプを決定する
ようにさらに構成されることによって、前記メモリアクセス要求に関連する性能特性に基づいて、前記バス相互接続に結合される前記異種メモリシステム内の複数の同種メモリタイプの中から同種メモリタイプを決定し、
前記決定される同種メモリタイプに対応する前記バス相互接続に結合される前記第１の同種メモリまたは前記第２の同種メモリのいずれかに前記メモリアクセス要求を経路指定するように構成される、
異種メモリシステム。
【請求項２０】
前記第１の同種メモリがダイナミックランダムアクセスメモリ（ＤＲＡＭ）からなり、前記第２の同種メモリが磁気抵抗ランダムアクセスメモリ（ＭＲＡＭ）からなる、請求項１９に記載の異種メモリシステム。
【請求項２１】
プロセッサベースのシステム中のバス相互接続に結合される異種メモリシステムであって、
第１のメモリチャネルおよび第２のメモリチャネルを有するバス相互接続中のメモリアクセス要求を受け取るための手段と、ここにおいて、前記メモリアクセス要求を受け取るための前記手段は、前記メモリアクセス要求に関連する性能特性に基づいて、前記バス相互接続に結合される前記異種メモリシステム内の複数の同種メモリタイプの中から同種メモリタイプを決定するための手段を備え、前記同種メモリタイプを決定するための前記手段は、
前記メモリアクセス要求に基づいて、複数の異種メモリアクセス要求ポリシーの中からメモリアクセス要求ポリシーを決定するための手段と、各メモリアクセス要求ポリシーは、前記複数の同種メモリタイプの中の前記同種メモリタイプに対応し、各メモリアクセス要求ポリシーは、スタティック異種メモリアクセス要求ポリシーおよびダイナミック異種メモリアクセス要求ポリシーのうちの１つである、
前記決定されるメモリアクセス要求ポリシーに対応する前記同種メモリタイプを決定するための手段と、
を備え、
前記決定される同種メモリタイプに基づいて、前記バス相互接続の前記第１のメモリチャネルに結合され、揮発性メモリタイプである第１の同種メモリ、または前記バス相互接続の前記第２のメモリチャネルに結合され、不揮発性メモリタイプである第２の同種メモリのいずれかに前記メモリアクセス要求を経路指定するための手段と、
を備えるメモリコントローラを含む、異種メモリシステム。
【請求項２２】
少なくとも１つの要求デバイスに結合されるバス相互接続と、前記バス相互接続は、前記少なくとも１つの要求デバイスから受け取ったメモリアクセス要求を、異種メモリシステムに経路指定するように構成されるバス相互接続アービタを備える、
前記バス相互接続に結合される第１の同種メモリシステムと、ここにおいて、前記第１の同種メモリシステムは、揮発性メモリタイプである、
前記バス相互接続に結合される第２の同種メモリシステムと、ここにおいて、前記第２の同種メモリシステムは、不揮発性メモリタイプである、
を備える、
ここにおいて、前記バス相互接続アービタは、
前記少なくとも１つの要求デバイスから前記バス相互接続中の前記メモリアクセス要求を受け取り、
前記メモリアクセス要求に基づいて、複数の異種メモリアクセス要求ポリシーの中からメモリアクセス要求ポリシーを決定し、各メモリアクセス要求ポリシーは、複数の同種メモリタイプの中の同種メモリタイプに対応し、各メモリアクセス要求ポリシーは、スタティック異種メモリアクセス要求ポリシーおよびダイナミック異種メモリアクセス要求ポリシーのうちの１つである、
前記決定されるメモリアクセス要求ポリシーに対応する前記同種メモリタイプを決定する
ようにさらに構成されることによって、前記メモリアクセス要求に関連する性能特性に基づいて、前記バス相互接続に結合される前記第１の同種メモリシステムまたは前記第２の同種メモリシステムのいずれかを決定し、
前記決定される同種メモリタイプに対応する、前記バス相互接続に結合される前記第１の同種メモリシステムまたは前記第２の同種メモリシステムの中の同種メモリに前記メモリアクセス要求を経路指定する
ように構成される、
プロセッサベースのシステム。
【請求項２３】
プロセッサベースのシステム中の異種メモリシステムにメモリアクセス要求を経路指定するためのバス相互接続アービタの方法であって、
要求デバイスからバス相互接続中のメモリアクセス要求を受け取ることと、
前記メモリアクセスメモリに関連する性能特性に基づいて、前記バス相互接続に結合される異種メモリシステム内の複数の同種メモリタイプの中から同種メモリタイプを決定することと、前記同種メモリタイプを決定することは、
前記メモリアクセス要求に基づいて、複数の異種メモリアクセス要求ポリシーの中からメモリアクセス要求ポリシーを決定することと、各メモリアクセス要求ポリシーは、前記複数の同種メモリタイプの中の前記同種メモリタイプに対応し、各メモリアクセス要求ポリシーは、スタティック異種メモリアクセス要求ポリシーおよびダイナミック異種メモリアクセス要求ポリシーのうちの１つである、
前記決定されるメモリアクセス要求ポリシーに対応する前記同種メモリタイプを決定することと
を備える、
前記決定される同種メモリタイプに対応する前記異種メモリシステム中の複数の同種メモリの同種メモリに、前記メモリアクセス要求を経路指定することと
を備える方法。
【請求項２４】
前記複数の同種メモリの各々は、前記異種メモリシステム内の揮発性メモリまたは不揮発性メモリのいずれかである、請求項２３に記載の方法。
【請求項２５】
前記メモリアクセス要求ポリシーを決定することが、
前記メモリアクセス要求がスタティック異種メモリアクセス要求に対応することを決定することと、
メモリアクセス要求ポリシー表中のスタティックメモリアクセス要求ポリシー索引に基づいて前記スタティック異種メモリアクセス要求ポリシーとして前記メモリアクセス要求ポリシーを決定することと
を備える、請求項２３に記載の方法。
【請求項２６】
前記メモリアクセス要求ポリシーを決定することが、
前記メモリアクセス要求がスタティック異種メモリアクセス要求に対応することを決定することと、
前記メモリアクセス要求中のマスタ識別子に基づいて前記スタティック異種メモリアクセス要求ポリシーとして前記メモリアクセス要求ポリシーを決定することと
を備える、請求項２３に記載の方法。
【請求項２７】
前記メモリアクセス要求ポリシーを決定することが、
前記メモリアクセス要求がスタティック異種メモリアクセス要求に対応することを決定することと、
前記メモリアクセス要求中のアプリケーション識別子に基づいて前記スタティック異種メモリアクセス要求ポリシーとして前記メモリアクセス要求ポリシーを決定することとを
備える、請求項２３に記載の方法。
【請求項２８】
前記メモリアクセス要求ポリシーを決定することが、
前記メモリアクセス要求がダイナミック異種メモリアクセス要求に対応することを決定することと、
ダイナミック異種メモリアクセス要求プロファイル索引表中のダイナミックメモリアクセス要求ポリシー索引に基づいて前記ダイナミック異種メモリアクセス要求ポリシーとして前記メモリアクセス要求ポリシーを決定することと
を備える、請求項２３に記載の方法。
【請求項２９】
前記メモリアクセス要求ポリシーを決定することが、
前記メモリアクセス要求がダイナミック異種メモリアクセス要求に対応することを決定することと、
前記メモリアクセス要求中のメモリアクセス要求優先度に基づいて前記ダイナミック異種メモリアクセス要求ポリシーとして前記メモリアクセス要求ポリシーを決定することと
を備える、請求項２３に記載の方法。
【請求項３０】
前記メモリアクセス要求ポリシーを決定することが、
前記メモリアクセス要求がダイナミック異種メモリアクセス要求に対応することを決定することと、
前記メモリアクセス要求中のメモリアクセス要求デッドラインに基づいて前記ダイナミック異種メモリアクセス要求ポリシーとして前記メモリアクセス要求ポリシーを決定することと
を備える、請求項２３に記載の方法。
【請求項３１】
前記メモリアクセス要求ポリシーを決定することが、
前記メモリアクセス要求がダイナミック異種メモリアクセス要求に対応することを決定することと、
前記プロセッサベースのシステム中の電力モードに基づいて前記ダイナミック異種メモリアクセス要求ポリシーとして前記メモリアクセス要求ポリシーを決定することと
を備える、請求項２３に記載の方法。
【請求項３２】
前記メモリアクセス要求ポリシーを決定することが、
前記メモリアクセス要求がダイナミック異種メモリアクセス要求に対応することを決定することと、
メモリページヒット率に基づいて前記ダイナミック異種メモリアクセス要求ポリシーとして前記メモリアクセス要求ポリシーを決定することと
を備える、請求項２３に記載の方法。
【請求項３３】
前記メモリアクセス要求ポリシーを決定することが、
前記メモリアクセス要求がダイナミック異種メモリアクセス要求に対応することを決定することと、
メモリアクセス要求トラフィックに基づいて前記ダイナミック異種メモリアクセス要求ポリシーとして前記メモリアクセス要求ポリシーを決定することと
を備える、請求項２３に記載の方法。
【請求項３４】
前記メモリアクセス要求ポリシーを決定することが、
前記メモリアクセス要求がダイナミック異種メモリアクセス要求に対応することを決定することと、
アプリケーション優先度、メモリアクセス要求デッドライン、電力モード、メモリページヒット率、およびメモリアクセス要求トラフィックからなるグループから選択される少なくとも１つの動作パラメータに基づいてダイナミック異種メモリアクセス要求ポリシープロファイルとして前記メモリアクセス要求ポリシーを決定することと
を備える、請求項２３に記載の方法。
【請求項３５】
前記メモリアクセス要求ポリシーを決定することは、
前記プロセッサベースのシステムの有効動作プロファイルが存在するかどうかを決定することと、
前記有効動作プロファイルが存在しない場合に、デフォルトメモリアクセス要求ポリシーとして、前記メモリアクセス要求ポリシーを決定することと
を備える、請求項２３に記載の方法。
【請求項３６】
コンピュータ実行可能命令をその上に記憶させた非一時的なコンピュータ可読媒体であって、前記コンピュータ実行可能命令が、プロセッサベースのシステム中の異種メモリシステムにメモリアクセス要求を経路指定するためのバス相互接続アービタに、
要求デバイスからバス相互接続中のメモリアクセス要求を受け取り、
前記メモリアクセス要求に基づいて、複数の異種メモリアクセス要求ポリシーの中からメモリアクセス要求ポリシーを決定し、各メモリアクセス要求ポリシーは、前記複数の同種メモリタイプの中の前記同種メモリタイプに対応し、各メモリアクセス要求ポリシーは、スタティック異種メモリアクセス要求ポリシーおよびダイナミック異種メモリアクセス要求ポリシーのうちの１つである、
前記決定されるメモリアクセス要求ポリシーに対応する前記同種メモリタイプを決定する
ように構成されることによって、前記バス相互接続に結合される異種メモリシステム内の複数の同種メモリタイプの中の同種メモリタイプを、前記メモリアクセス要求に関連する性能特性に基づいて決定し、
前記決定される同種メモリタイプに対応する前記異種メモリシステム中の複数の同種メモリの同種メモリに、前記メモリアクセス要求を経路指定する
ことを行わせる非一時的なコンピュータ可読媒体。
【請求項３７】
前記メモリアクセス要求ポリシーを決定するために、前記メモリコントローラは、
前記メモリアクセス要求がスタティック異種メモリアクセス要求に対応することを決定し、
メモリアクセス要求ポリシー表中のスタティックメモリアクセス要求ポリシー索引に基づいて、前記スタティック異種メモリアクセス要求ポリシーとして前記メモリアクセス要求ポリシーを決定する
ようにさらに構成される、請求項１９に記載の異種メモリシステム。
【請求項３８】
前記メモリアクセス要求ポリシーを決定するために、前記メモリコントローラは、
前記メモリアクセス要求がダイナミック異種メモリアクセス要求に対応することを決定し、
ダイナミック異種メモリアクセス要求プロファイル索引表中のダイナミックメモリアクセス要求ポリシー索引に基づいて、前記ダイナミック異種メモリアクセス要求ポリシーとして前記メモリアクセス要求ポリシーを決定する
ようにさらに構成される、請求項１９に記載の異種メモリシステム。
【請求項３９】
前記メモリアクセス要求ポリシーを決定するために、前記メモリコントローラは、
前記メモリアクセス要求がダイナミック異種メモリアクセス要求に対応することを決定し、
前記メモリアクセス要求中のメモリアクセス要求優先度に基づいて、前記ダイナミック異種メモリアクセス要求ポリシーとして前記メモリアクセス要求ポリシーを決定する
ようにさらに構成される、請求項１９に記載の異種メモリシステム。
【請求項４０】
前記メモリアクセス要求ポリシーを決定するために、前記メモリコントローラは、
前記メモリアクセス要求がダイナミック異種メモリアクセス要求に対応することを決定し、
前記メモリアクセス要求中のメモリアクセス要求デッドラインに基づいて、前記ダイナミック異種メモリアクセス要求ポリシーとして前記メモリアクセス要求ポリシーを決定する
ようにさらに構成される、請求項１９に記載の異種メモリシステム。
【請求項４１】
前記第１の同種メモリシステムは、ダイナミックランダムアクセスメモリ（ＤＲＡＭ）同種メモリからなり、前記第２の同種メモリシステムは、磁気抵抗ランダムアクセスメモリ（ＭＲＡＭ）同種メモリからなる、請求項２２に記載のプロセッサベースのシステム。
【請求項４２】
前記メモリアクセス要求ポリシーを決定するために、前記バス相互接続アービタは、
前記メモリアクセス要求がスタティック異種メモリアクセス要求に対応することを決定し、
メモリアクセス要求ポリシー表中のスタティックメモリアクセス要求ポリシー索引に基づいて、前記スタティック異種メモリアクセス要求ポリシーとして前記メモリアクセス要求ポリシーを決定する
ようにさらに構成される、請求項２２に記載のプロセッサベースのシステム。
【請求項４３】
前記メモリアクセス要求ポリシーを決定するために、前記バス相互接続アービタは、
前記メモリアクセス要求がダイナミック異種メモリアクセス要求に対応することを決定し、
ダイナミック異種メモリアクセス要求プロファイル索引表中のダイナミックメモリアクセス要求ポリシー索引に基づいて、前記ダイナミック異種メモリアクセス要求ポリシーとして前記メモリアクセス要求ポリシーを決定する
ようにさらに構成される、請求項２２に記載のプロセッサベースのシステム。
【請求項４４】
前記メモリアクセス要求ポリシーを決定するために、前記バス相互接続アービタは、
前記メモリアクセス要求がダイナミック異種メモリアクセス要求に対応することを決定し、
前記メモリアクセス要求中のメモリアクセス要求優先度に基づいて、前記ダイナミック異種メモリアクセス要求ポリシーとして前記メモリアクセス要求ポリシーを決定する
ようにさらに構成される、請求項２２に記載のプロセッサベースのシステム。
【請求項４５】
前記メモリアクセス要求ポリシーを決定するために、前記バス相互接続アービタは、
前記メモリアクセス要求がダイナミック異種メモリアクセス要求に対応することを決定し、
前記メモリアクセス要求中のメモリアクセス要求デッドラインに基づいて、前記ダイナミック異種メモリアクセス要求ポリシーとして前記メモリアクセス要求ポリシーを決定する
ようにさらに構成される、請求項２２に記載のプロセッサベースのシステム。
【請求項４６】
前記複数の同種メモリは、ダイナミックランダムアクセスメモリ（ＤＲＡＭ）同種メモリおよび磁気抵抗ランダムアクセスメモリ（ＭＲＡＭ）同種メモリからなる、請求項３６に記載の非一時的なコンピュータ可読媒体。
【請求項４７】
前記バス相互接続アービタに、
前記メモリアクセス要求がスタティック異種メモリアクセス要求に対応することを決定し、
メモリアクセス要求ポリシー表中のスタティックメモリアクセス要求ポリシー索引に基づいて、前記スタティック異種メモリアクセス要求ポリシーとして前記メモリアクセス要求ポリシーを決定する
ことをさらに行わせることによって前記バス相互接続アービタに前記メモリアクセス要求ポリシーを決定させるためのコンピュータ実行可能命令を記憶した、請求項３６に記載の非一時的なコンピュータ可読媒体。
【請求項４８】
前記バス相互接続アービタに、
前記メモリアクセス要求がダイナミック異種メモリアクセス要求に対応することを決定し、
ダイナミック異種メモリアクセス要求プロファイル索引表中のダイナミックメモリアクセス要求ポリシー索引に基づいて、前記ダイナミック異種メモリアクセス要求ポリシーとして前記メモリアクセス要求ポリシーを決定する
ことをさらに行わせることによって前記バス相互接続アービタに前記メモリアクセス要求ポリシーを決定させるためのコンピュータ実行可能命令を記憶した、請求項３６に記載の非一時的なコンピュータ可読媒体。
【請求項４９】
前記バス相互接続アービタに、
前記メモリアクセス要求がダイナミック異種メモリアクセス要求に対応することを決定し、
前記メモリアクセス要求中のメモリアクセス要求優先度に基づいて、前記ダイナミック異種メモリアクセス要求ポリシーとして前記メモリアクセス要求ポリシーを決定する
ことをさらに行わせることによって前記バス相互接続アービタに前記メモリアクセス要求ポリシーを決定させるためのコンピュータ実行可能命令を記憶した、請求項３６に記載の非一時的なコンピュータ可読媒体。
【請求項５０】
前記バス相互接続アービタに、
前記メモリアクセス要求がダイナミック異種メモリアクセス要求に対応することを決定し、
前記メモリアクセス要求中のメモリアクセス要求デッドラインに基づいて、前記ダイナミック異種メモリアクセス要求ポリシーとして前記メモリアクセス要求ポリシーを決定する
ことをさらに行わせることによって前記バス相互接続アービタに前記メモリアクセス要求ポリシーを決定させるためのコンピュータ実行可能命令を記憶した、請求項３６に記載の非一時的なコンピュータ可読媒体。